(57)【特許請求の範囲】
【請求項１】
皿状の収容体と、
各短冊状をなし、夫々の一面に光源が実装されており、前記収容体の底壁の内面に少なくとも１列、幅方向が列方向に沿うようにして等間隔に並置された複数枚の光源基板と、
前記収容体に収容される前記光源基板以外の他部材と
を備える照明装置において、
前記底壁には、
前記光源基板の位置決め用の複数個の基板用位置決め部と、
前記他部材の位置決め用の複数個の他部材用位置決め部と
が設けられており、
前記基板用位置決め部及び他部材用位置決め部夫々の形状と寸法とが共通化してあり、
前記基板用位置決め部及び他部材用位置決め部は、前記列方向に非等間隔に並設されていることを特徴とする照明装置。
【請求項２】
前記基板用位置決め部及び他部材用位置決め部夫々は、前記内面に対して凹状又は凸状をなし、
各光源基板は前記基板用位置決め部の何れかに係合し、
前記他部材は、前記他部材用位置決め部の何れかに係合していることを特徴とする請求項１に記載の照明装置。
【請求項３】
前記光源に対向配置され、前記光源が発する光を拡散させる拡散板を更に備え、
前記他部材は、前記拡散板を支持する支持部材であることを特徴とする請求項１又は２に記載の照明装置。
【請求項４】
前記一面及び前記収容体の内面を覆い、光を反射する反射シートを更に備え、
前記他部材は、前記反射シートを前記底壁に固定する固定部材であることを特徴とする請求項１から３の何れかひとつに記載の照明装置。
【請求項５】
１列に含まれる前記光源基板の枚数Ｙは、定数Ａ，X1，X2を含む下記式（１）に従い、
定数Ａは“７”，“９”，“13”，“16”，“17”，“19”の何れかひとつであり、定数X1は“１”，“２”，“３”の何れかひとつであり、定数X2は“-2”，“-1”，“０”，“１”，“２”，“３”の何れかひとつであって、定数Ａ，X1，X2の組み合わせは、式（１）の演算結果がＹ≧３の自然数になるものであることを特徴とする請求項１から４の何れかひとつに記載の照明装置。
【数１】
0006570372.tif 000004
【請求項６】
前記光源基板の枚数は、３枚、４枚、５枚、６枚、７枚、９枚、10枚、11枚、13枚、16枚、17枚、19枚、21枚、25枚、31枚、33枚、37枚、41枚、又は49枚であることを特徴とする請求項５に記載の照明装置。
【請求項７】
請求項１から６の何れかひとつに記載の照明装置と、
該照明装置によって背面側から照明される表示パネルと
を備えることを特徴とする表示装置。
【請求項８】
請求項７に記載の表示装置と、
テレビジョン放送を受信する受信部と
を備え、
該受信部にて受信したテレビジョン放送に基づいて、前記表示装置に映像を表示するようにしてあることを特徴とするテレビジョン受信機。
【発明の詳細な説明】
【技術分野】
【０００１】
本発明は、光源基板が複数枚並置された照明装置、表示装置、及びテレビジョン受信機に関する。
【背景技術】
【０００２】
液晶表示装置は、液晶表示パネルと、複数個のＬＥＤ（発光ダイオード）を有する照明装置とを備える。照明装置は、液晶表示パネルを背面側から照明する。
直下型の照明装置においては、ＬＥＤは液晶表示パネルの背面に対向して複数個並置される（特許文献１参照）。
【０００３】
特許文献１に記載の照明装置の場合、各ＬＥＤはＬＥＤ基板に実装され、ＬＥＤが発した光を拡散する拡散レンズに覆われる。ＬＥＤ基板はシャーシ（文中「支持部材」）に取り付けられる。拡散レンズには位置決め部及び係合部が設けられており、ＬＥＤ基板及びシャーシには位置決め穴及び係合穴が設けられている。拡散レンズは、位置決め部が位置決め穴に係合することによって位置決めされ、係合部が係合穴に係合することによってＬＥＤ基板及びシャーシに取り付けられる。
【先行技術文献】
【特許文献】
【０００４】
【特許文献１】特開２０１３−２４２４９９号公報
【発明の概要】
【発明が解決しようとする課題】
【０００５】
照明装置が複数枚のＬＥＤ基板を備える場合、各ＬＥＤ基板に係合部兼用の位置決め部を設け、シャーシに係合穴兼用の位置決め穴を設けることが考えられる。各ＬＥＤ基板は、位置決め部が位置決め穴に係合することによって、位置決めされると共にシャーシに取り付けられる。
【０００６】
ところで、表示パネルを均一に照明するためには、複数枚のＬＥＤ基板は均等に並置されていることが望ましい。しかしながら、ＬＥＤ基板の枚数及び配置位置は、位置決め穴の個数及び配置位置によって規定されるので、光源基板の枚数又は配置が異なる照明装置の間で、収容体を共通化することができない場合がある。この場合、光源基板の枚数又は配置が異なる照明装置毎に、位置決め穴の個数及び配置位置が異なるシャーシを用意しなければならない。
【０００７】
本発明は斯かる事情に鑑みてなされたものであり、その主たる目的は、光源基板を収容する収容体の共通化を図ることができる照明装置、表示装置、及びテレビジョン受信機を提供することにある。
【課題を解決するための手段】
【０００８】
本発明に係る照明装置は、皿状の収容体と、各短冊状をなし、夫々の一面に光源が実装されており、前記収容体の底壁の内面に少なくとも１列、幅方向が列方向に沿うようにして等間隔に並置された複数枚の光源基板と、前記収容体に収容される前記光源基板以外の他部材とを備える照明装置において、前記底壁には、前記光源基板の位置決め用の複数個の基板用位置決め部と、前記他部材の位置決め用の複数個の他部材用位置決め部とが設けられており、前記基板用位置決め部及び他部材用位置決め部夫々の形状と寸法とが共通化してあり、前記基板用位置決め部及び他部材用位置決め部は、前記列方向に非等間隔に並設されていることを特徴とする。
【０００９】
本発明に係る照明装置は、前記基板用位置決め部及び他部材用位置決め部夫々は、前記内面に対して凹状又は凸状をなし、各光源基板は前記基板用位置決め部の何れかに係合し、前記他部材は、前記他部材用位置決め部の何れかに係合していることを特徴とする。
【００１０】
本発明に係る照明装置は、前記光源に対向配置され、前記光源が発する光を拡散させる拡散板を更に備え、前記他部材は、前記拡散板を支持する支持部材であることを特徴とする。
【００１１】
本発明に係る照明装置は、前記一面及び前記収容体の内面を覆い、光を反射する反射シートを更に備え、前記他部材は、前記反射シートを前記底壁に固定する固定部材であることを特徴とする。
【００１２】
本発明に係る照明装置は、１列に含まれる前記光源基板の枚数Ｙは、定数Ａ，X1，X2を含む下記式（１）に従い、定数Ａは“７”，“９”，“13”，“16”，“17”，“19”の何れかひとつであり、定数X1は“１”，“２”，“３”の何れかひとつであり、定数X2は“-2”，“-1”，“０”，“１”，“２”，“３”の何れかひとつであって、定数Ａ，X1，X2の組み合わせは、式（１）の演算結果がＹ≧３の自然数になるものであることを特徴とする。
【００１３】
【数１】
0006570372.tif 000002
【００１４】
本発明に係る照明装置は、前記光源基板の枚数は、３枚、４枚、５枚、６枚、７枚、９枚、10枚、11枚、13枚、16枚、17枚、19枚、21枚、25枚、31枚、33枚、37枚、41枚、又は49枚であることを特徴とする。
【００１５】
本発明に係る表示装置は、本発明に係る照明装置と、該照明装置によって背面側から照明される表示パネルとを備えることを特徴とする。
【００１６】
本発明に係るテレビジョン受信機は、本発明に係る表示装置と、テレビジョン放送を受信する受信部とを備え、該受信部にて受信したテレビジョン放送に基づいて、前記表示装置に映像を表示するようにしてあることを特徴とする。
【発明の効果】
【００１７】
本発明の照明装置、表示装置、及びテレビジョン受信機による場合、基板用位置決め部及び他部材用位置決め部の形状と寸法とが共通化されているので、基板用位置決め部及び他部材用位置決め部の一方を他方として流用することができる。従って、光源基板の枚数又は配置位置が異なる照明装置を製造する場合に、基板用位置決め部の個数又は配置位置が異なる収容体を個別に用意する必要がない。換言すれば、光源基板の枚数又は配置位置が異なる照明装置の間で、収容体を共通化することができる。
【図面の簡単な説明】
【００１８】
【図１】本発明の実施の形態１に係る表示装置を備えるテレビジョン受信機の構成を略示する断面図である。
【図２】表示装置が備える照明装置の構成を略示する正面図である。
【図３】照明装置が有する収容体の構成を略示する正面図である。
【図４】収容体に対する光源基板及び反射シートの位置決め状態を略示する断面図である。
【図５】収容体における光源基板の配置（上下10枚並置）を略示する正面図である。
【図６】光源基板の配置（上下13枚並置）を略示する正面図である。
【図７】本発明の実施の形態２に係る表示装置を備えるテレビジョン受信機の構成を略示する断面図である。
【図８】光源基板及び反射シートの位置決め状態を略示する断面図である。
【図９】光源基板の配置（上下19枚並置）を模式的に示す正面図である。
【図１０】光源基板の配置（上下13枚並置）を模式的に示す正面図である。
【図１１】光源基板の配置（上下10枚並置）を模式的に示す正面図である。
【図１２】光源基板の配置（上下７枚並置）を模式的に示す正面図である。
【図１３】光源基板の配置（上下４枚並置）を模式的に示す正面図である。
【図１４】光源基板の配置（上下３枚並置）を模式的に示す正面図である。
【図１５】本発明の実施の形態３に係る表示装置が備える収容体に対する光源基板の位置決め状態を略示する断面図である。
【図１６】本発明の実施の形態４に係る表示装置が備える収容体に対する光源基板の位置決め状態を略示する断面図である。
【図１７】本発明の実施の形態５に係る表示装置が備える収容体に対する光源基板の位置決め状態を略示する断面図である。
【発明を実施するための形態】
【００１９】
以下、本発明を、その実施の形態を示す図面に基づいて詳述する。以下の説明では、図において矢符で示す上下、前後、及び左右を使用する。
【００２０】
（実施の形態  １．）
図１は、本発明の実施の形態１に係る表示装置１３を備えるテレビジョン受信機１の構成を略示する断面図である。
図２は、表示装置１３が備える照明装置２２の構成を略示する正面図である。
図３は、照明装置２２が有する収容体３５の構成を略示する正面図である。
図４は、収容体３５に対する光源基板３３及び反射シート３６の位置決め状態を略示する断面図である。
図５及び図６は、収容体３５における光源基板３３の配置を略示する正面図である。
図２、図３、図５、及び図６は、図に向かって上下左右方向が照明装置２２の上下左右方向である。
【００２１】
テレビジョン受信機１は、据え置き式又は壁掛け式等である。テレビジョン受信機１は、受信部１１、信号処理部１２、及び表示装置１３を備えている。
受信部１１は、図示しない受信回路が実装された回路基板である。受信回路は、図示しないアンテナを介して外部からテレビジョン放送を受信し、受信したテレビジョン放送に基づく放送信号を出力する。
信号処理部１２は、図示しない信号処理回路が実装された回路基板である。信号処理回路は、受信部１１が出力した放送信号に所定の信号処理を施すことによって、映像データを出力する。
【００２２】
表示装置１３は正面視矩形状である。表示装置１３は、表示パネル２１及び照明装置２２と、これらを収容する図示しないキャビネットとを備えている。このキャビネットには、受信部１１及び信号処理部１２も収容されている。なお、受信部１１及び信号処理部１２は、表示装置１３に外付けされていてもよい。
【００２３】
表示パネル２１は、矩形板状の液晶表示パネルを用いてなる。表示パネル２１は、矩形状の表示領域と、表示領域を囲繞する矩形枠状の額縁領域とを有する。表示領域（及び額縁領域）は表示パネル２１の中央部（及び周縁部）に位置する。表示パネル２１の表示領域には、信号処理部１２が出力した映像データに基づく映像が表示される。
【００２４】
照明装置２２は、光学シート群３０、拡散板３１、スペーサ３２、複数枚の光源基板３３、複数個の光源３４、収容体３５、反射シート３６、並びに各複数個のリベット３７，３７，…及び固定部材３８，３８，…を備えている。図２は、光学シート群３０、拡散板３１、及びスペーサ３２、反射シート３６の図示を省略している。
光学シート群３０は、夫々光透過性を有する複数枚の光学シートが積層されてなる。各光学シートは、光拡散機能、集光機能、又は偏光機能等を有する。光学シート群３０は、表示パネル２１の表示領域よりも面積が大きい矩形状になしてある。光学シート群３０は、表示パネル２１の表示領域の後面に適長離隔して対面配置されている。
【００２５】
拡散板３１は、自身を透過した光を拡散させる。拡散板３１の光透過率は50％程度である。拡散板３１の後面に入射した光の一部は拡散板３１を透過し、拡散板３１の前面から拡散して出射する。拡散板３１の後面に入射した光の他の一部は後側へ反射する。拡散板３１は、光学シート群３０よりも面積が大きい矩形状になしてある。拡散板３１は、光学シート群３０の後面に適長離隔して対面配置されている。
【００２６】
スペーサ３２は枠状をなし、緩衝性を有する。スペーサ３２は、光学シート群３０の後面周縁部と拡散板３１の前面周縁部との間に介在している。スペーサ３２の配置位置は、表示パネル２１の額縁領域に対向する位置である。
【００２７】
各光源基板３３は短冊状をなし、幅方向が上下方向、長さ方向が左右方向に沿い、前面３３ａが拡散板３１の後面に対面する向きに配されている。
光源基板３３は、上下方向に複数枚、等間隔に並置されている。
図２は、20枚の光源基板３３が、上下方向に10枚、等間隔に並置され、左右方向に２枚並置されている場合を示している。換言すれば、光源基板３３は、等間隔に10枚ずつ２列に並置されている。なお、光源基板３３は１列でも３列以上でもよい。また、上下方向の並置枚数は10枚に限定されない。
図５には10枚の光源基板３３の配置を示し、図６には13枚の光源基板３３の配置を示している。
左右方向に隣り合う２枚の光源基板３３，３３は、長さ方向の端部同士（短辺部同士）が対向配置されている。上下方向に隣り合う２枚の光源基板３３，３３は、幅方向の端部同士（長辺部同士）が対向配置されている。
【００２８】
光源基板３３の前面３３ａには、複数個の光源３４が実装されている。図２には、１８個の光源３４が等配されている場合が例示されている。
各光源３４は発光部及びレンズを有する。発光部はＬＥＤを用いてなり、光源基板３３の前面３３ａに実装されている。レンズは発光部を覆い、光源基板３３に取り付けられている。発光部が発した光はレンズの内部を透過し、レンズの表面から拡散して出射する。
光源基板３３には複数個の貫通孔３３１，３３１，…が左右方向に並設されている。以下では、貫通孔３３１，３３１，…の個数が５個である場合を例示する。各貫通孔３３１は、光源３４の非実装部分に配されている。貫通孔３３１，３３１，…は何れも正面視円形状であり、互いに内径は等しい。
【００２９】
収容体３５は、底壁３５１、周壁３５２、及び支持部３５３を有する皿状である。収容体３５は光源基板３３及び反射シート３６等を収容している。
底壁３５１は、拡散板３１よりも面積が小さい矩形状になしてある。周壁３５２は底壁３５１の周縁部に直角に突設してある。底壁３５１と周壁３５２との境界部には支持部３５３が配置してある。支持部３５３は断面直角三角形状の矩形枠状をなしており、三角形の２つの隣辺に相当する面が底壁３５１及び周壁３５２に当接し、斜辺に相当する面が拡散板３１側に向いている。
【００３０】
底壁３５１の内面（前面）には、光源基板３３が、夫々の後面を底壁３５１に向けて並置してある。
底壁３５１の後面には、受信部１１及び信号処理部１２が取り付けられている。
周壁３５２の前後方向中央部及び支持部３５３の前端部は、拡散板３１の周縁部を支持している。
収容体３５の開口は、表示パネル２１によって閉塞されている。このために、周壁３５２の前端部は、表示パネル２１の周縁部を支持している。
【００３１】
底壁３５１には、複数個の貫通孔４，４，…が設けられている。
貫通孔４は底壁３５１の内面に対して凹状をなす。
貫通孔４，４，…は、上下方向に19個、非等間隔に並設されている。貫通孔４，４，…は、左右方向に10個、並設されている。左右方向の10個の貫通孔４，４，…の内、左側（及び右側）の５個の配置位置は、左右方向に並置されている２枚の光源基板３３，３３の内、左側（及び右側）の光源基板３３に設けられている貫通孔３３１，３３１，…の配置位置に対応する。貫通孔４，４，…は何れも正面視円形状であり、互いに内径は等しい。
【００３２】
本実施の形態では、上下方向に並置されている19個の貫通孔４，４，…は一直線上に並んでいるが、これに限定されず、貫通孔４，４，…の一部が左右方向に位置ずれしていてもよい。また、本実施の形態では、左右方向に並置されている10個の貫通孔４，４，…は一部が左右方向に位置ずれしているが、これに限定されず、一直線上に並んでいてもよい。貫通孔４，４，…の配置位置は、例えば光源基板３３に実装される部品（光源３４又は図示しないコネクタ等）の配置位置との兼ね合いで設計される。
【００３３】
以下では、左右方向に並ぶ貫通孔４，４，…の内の２個を互いに区別する場合に、符号４１，４２を用い、上下方向に隣り合う貫通孔４，４，…同士を区別する場合に、符号４１，４２に加えて上下方向の上側から順に符号ａ，ｂ，ｃ，ｄ，ｅ，ｆ，ｇ，ｈ，ｊ，ｋ，ｍ，ｎ，ｐ，ｑ，ｒ，ｓ，ｔ，ｕ，ｖを用いる（図５及び図６参照）。
【００３４】
反射シート３６は光反射性を有する。反射シート３６は、光源基板３３夫々の前面３３ａと収容体３５の内面（具体的には底壁３５１の内面及び支持部３５３）とを覆う。ただし、光源３４は覆われない。このために、反射シート３６における光源３４夫々に対応する部分には、開口が設けられている。また、収容体３５の内面の内、拡散板３１よりも前側に位置している部分は反射シート３６に覆われない。
反射シート３６には、複数個の貫通孔３６１，３６１，…が設けられている。貫通孔３６１，３６１，…は、上下方向に19個、非等間隔に並設されている。また、貫通孔３６１，３６１，…は、左右方向に10個、並設されている。貫通孔３６１，３６１，…の上下左右方向の配置位置は、貫通孔４，４，…の配置位置に対応する。
貫通孔３６１，３６１，…は何れも正面視円形状であり、互いに内径は等しい。
貫通孔３３１，３６１，４の内径は互いに等しい。
【００３５】
各リベット３７は、頭部３７ａ及び脚部３７ｂを有する。ただし、一部のリベット３７，３７，…は、頭部３７ａ及び脚部３７ｂと支持突起３７ｃとを有する。以下では、頭部３７ａ及び脚部３７ｂのみを有するリベット３７と支持突起３７ｃも有するリベット３７とを区別する場合に、前者を係合リベット３７１といい、後者を支持リベット３７２という。
リベット３７は、頭部３７ａを前側に向け、脚部３７ｂを後側に向けて配される。
頭部３７ａは、光反射性を有する（例えば白色の）円盤状をなす。
【００３６】
脚部３７ｂは、頭部３７ａの後面に突設された円柱状をなし、先端部分が割りピン状をなす。脚部３７ｂは前側から貫通孔３６１，３３１，４をこの順に貫通する。貫通孔３６１，３３１，４の貫通後、脚部３７ｂの先端部分は、底壁３５１の後側に突出して、底壁３５１後面に係止する。このとき、頭部３７ａの後面と底壁３５１の内面との間に反射シート３６及び光源基板３３が挟持される。
即ち、光源基板３３はリベット３７を介して貫通孔４に係合している。貫通孔４に対する係合によって光源基板３３は位置決めされるので、光源基板３３が係合している貫通孔４は、基板用位置決め部として機能する。
【００３７】
支持突起３７ｃは、頭部３７ａの前面に突設されており、光反射性を有する円錐状をなす。支持突起３７ｃの先端部は、拡散板３１の後面に接触する。この結果、支持リベット３７２が、拡散板３１と底壁３５１との間のスペーサとして機能するので、拡散板３１が後側に撓むことが抑制される。つまり、支持リベット３７２は、光源基板３３を貫通孔４に係合させる機能と拡散板３１を支持する機能とを有する。
なお、係合リベット３７１は、反射シート３６に覆われていてもよい。この場合、係合リベット３７１は、貫通孔３３１，４をこの順に貫通し、係合リベット３７１が貫通すべき貫通孔３６１は反射シート３６に設けられていない。このとき、頭部３７ａの後面と底壁３５１の内面との間に光源基板３３が挟持される。反射シート３６に覆われている係合リベット３７１の頭部３７ａが光反射性を有している必要はない。
【００３８】
各固定部材３８は、頭部３８ａ及び脚部３８ｂを有するリベット状をなす。固定部材３８は、頭部３８ａを前側に向け、脚部３８ｂを後側に向けて配される。
頭部３８ａは、光反射性を有する（例えば白色の）円盤状をなす。
脚部３８ｂは、頭部３８ａの後面に突設された円柱状をなし、先端部分が割りピン状をなす。脚部３８ｂは前側から貫通孔３６１，４をこの順に貫通する。脚部３８ｂの先端部分は、リベット３７の脚部３７ｂの先端部分と同様にして、底壁３５１の外面に係止する。このとき、固定部材３８は貫通孔３６１，４に係合し、頭部３８ａの後面と底壁３５１の内面との間に反射シート３６が挟持される。
固定部材３８は収容体３５に収容される光源基板３３以外の他部材であり、反射シート３６を底壁３５１に固定する。貫通孔４に対する係合によって固定部材３８は位置決めされるので、固定部材３８が係合している貫通孔４は、他部材用位置決め部として機能する。
【００３９】
つまり、収容体３５の底壁３５１には、光源基板３３の位置決め用の複数個の基板用位置決め部と、固定部材３８，３８，…の位置決め用の複数個の他部材用位置決め部とが設けられており、基板用位置決め部及び他部材用位置決め部夫々の形状と寸法とが共通化してある。
【００４０】
図２、図３、図５、及び図６を参照すればわかるように、上下方向に隣り合う光源基板３３の枚数（１列分の枚数）が10枚の場合の収容体３５と13枚の場合の収容体３５とが共通化されている。
【００４１】
図５に示すように、光源基板３３の枚数が10枚の場合、上下方向に隣り合う光源基板３３，３３の離隔距離は距離Ｌ１で一定である。そして、上下方向19個の貫通孔４１，４１，…の内、貫通孔４１ａ，４１ｃ，４１ｅ，４１ｇ，４１ｊ，４１ｍ，４１ｐ，４１ｒ，４１ｔ，４１ｖの10個がリベット３７，３７，…（各リベット３７は係合リベット３７１）に係合されており、基板用位置決め部として機能している。
同様に、上下方向19個の貫通孔４２，４２，…の内、貫通孔４２ａ，４２ｃ，４２ｅ，４２ｇ，４２ｊ，４２ｍ，４２ｐ，４２ｒ，４２ｔ，４２ｖの10個がリベット３７，３７，…（各リベット３７は係合リベット３７１及び支持リベット３７２の何れか一方）に係合されており、基板用位置決め部として機能している。
【００４２】
一方、貫通孔４１ａ，４１ｃ間の貫通孔４１ｂ、貫通孔４１ｃ，４１ｅ間の貫通孔４１ｄ、貫通孔４１ｅ，４１ｇ間の貫通孔４１ｆ、貫通孔４１ｇ，４１ｊの間の貫通孔４１ｈ、貫通孔４１ｊ，４１ｍ間の貫通孔４１ｋ、貫通孔４１ｍ，４１ｐ間の貫通孔４１ｎ、貫通孔４１ｐ，４１ｒ間の貫通孔４１ｑ、貫通孔４１ｒ，４１ｔ間の貫通孔４１ｓ、及び貫通孔４１ｔ，４１ｖ間の貫通孔４１ｕの９個は固定部材３８，３８，…（図５においては省略）に係合されており、他部材用位置決め部として機能している。
同様に、貫通孔４２ｂ，４２ｄ，４２ｆ，４２ｈ，４２ｋ，４２ｎ，４２ｑ，４２ｓ，４２ｕの９個は固定部材３８，３８，…に係合されており、他部材用位置決め部として機能している。
【００４３】
図６に示すように、光源基板３３の枚数が13枚の場合、上下方向に隣り合う光源基板３３，３３の離隔距離は距離Ｌ２（Ｌ２＜Ｌ１且つＬ２×４＝Ｌ１×３）で一定である。そして、上下方向19個の貫通孔４１，４１，…の内、貫通孔４１ａ，４１ｂ，４１ｄ，４１ｆ，４１ｇ，４１ｈ，４１ｋ，４１ｎ，４１ｐ，４１ｑ，４１ｓ，４１ｕ，４１ｖの13個がリベット３７，３７，…（各リベット３７は係合リベット３７１）に係合されており、基板用位置決め部として機能している。
【００４４】
同様に、上下方向19個の貫通孔４２，４２，…の内、貫通孔４２ａ，４２ｂ，４２ｄ，４２ｆ，４２ｇ，４２ｈ，４２ｋ，４２ｎ，４２ｐ，４２ｑ，４２ｓ，４２ｕ，４２ｖの13個がリベット３７，３７，…（各リベット３７は係合リベット３７１及び支持リベット３７２の何れか一方）に係合されており、基板用位置決め部として機能している。
【００４５】
一方、貫通孔４１ｂ，４１ｄ間の貫通孔４１ｃ、貫通孔４１ｄ，４１ｆ間の貫通孔４１ｅ、貫通孔４１ｈ，４１ｋ間の貫通孔４１ｊ、貫通孔４１ｋ，４１ｎ間の貫通孔４１ｍ、貫通孔４１ｑ，４１ｓ間の貫通孔４１ｒ、及び貫通孔４１ｓ，４１ｕ間の貫通孔４１ｔの６個は固定部材３８，３８，…（図６においては省略）に係合されており、他部材用位置決め部として機能している。
同様に、貫通孔４２ｃ，４２ｅ，４２ｊ，４２ｍ，４２ｒ，４２ｔの６個は固定部材３８，３８，…に係合されており、他部材用位置決め部として機能している。
【００４６】
貫通孔４，４，…は形状及び寸法が共通化されているので、光源基板３３の枚数が異なる照明装置２２，２２，…毎に（又は光源基板３３の枚数を変更するときに）、基板用位置決め部として用いられている貫通孔４を、他部材用位置決め部（基板用位置決め部）として流用したり、他部材用位置決め部として用いられている貫通孔４を、基板用位置決め部として流用したりすることができる。
例えば貫通孔４１ｃは、光源基板３３の枚数が10枚の場合には基板用位置決め部として用いられているが、光源基板３３の枚数が13枚の場合には他部材用位置決め部として用いられている。また、例えば貫通孔４１ｂは、光源基板３３の枚数が10枚の場合には他部材用位置決め部として用いられているが、光源基板３３の枚数が13枚の場合には基板用位置決め部として用いられている。
【００４７】
以上の結果、光源基板３３の枚数が異なる照明装置２２，２２，…の間で収容体３５，３５，…を共通化することができる。
光源基板３３の枚数が異なる照明装置２２，２２，…は輝度が異なる。光源基板３３の１列分の枚数が13枚の場合、10枚の場合に比べて、光源３４の個数が多く、底壁３５１に対する光源３４の密度が高いので、照明装置２２の輝度は高い。
つまり、輝度が異なる照明装置２２，２２，…の間で収容体３５，３５，…を共通化することができる。
【００４８】
次に、照明装置２２を設計する際の光源基板３３の枚数の決定について説明する。
１列に含まれる光源基板３３の枚数Ｙは、定数Ａ，X1，X2を含む次の式（２）に従う。
【００４９】
【数２】
0006570372.tif 000003
【００５０】
ここで、定数Ａは“７”，“９”，“13”，“16”，“17”，“19”の何れかひとつであり、定数X1は“１”，“２”，“３”の何れかひとつであり、定数X2は“-2”，“-1”，“０”，“１”，“２”，“３”の何れかひとつである。
設計者は、例えば照明装置２２の仕様（照明装置２２の寸法又は照明装置２２に求められている輝度等）に基づいて定数Ａを決定し、更に、式（２）の演算結果がＹ≧３の自然数になるよう定数X1，X2を決定する。
照明装置２２の寸法が大きいほど、１列に多数枚の光源基板３３が配置可能であり、照明装置２２に求められている輝度が高いほど１列に多数枚の光源基板３３を配置する必要がある。
本実施の形態の場合、定数Ａ，X1，X2及び枚数Ｙの組み合わせ（Ａ，X1，X2，Ｙ）は、（Ａ，X1，X2，Ｙ）＝（19，１，-1，10）又は（Ａ，X1，X2，Ｙ）＝（19，２，０，10）及び（Ａ，X1，X2，Ｙ）＝（19，３，１，13）である。
【００５１】
式（２）に従って求められる枚数Ｙは、３枚、４枚、５枚、６枚、７枚、９枚、10枚、11枚、13枚、16枚、17枚、19枚、21枚、25枚、31枚、33枚、37枚、41枚、49枚、61枚、65枚、73枚、97枚、121 枚、129 枚、及び145 枚の何れかであるが、実用上、３枚、４枚、５枚、６枚、７枚、９枚、10枚、11枚、13枚、16枚、17枚、19枚、21枚、25枚、31枚、33枚、37枚、41枚、及び49枚の何れかであることが望ましい。
【００５２】
貫通孔４，４，…の上下方向の配置位置は、式（２）に従って求められる複数個の枚数Ｙ，Ｙ，…の組み合わせ（本実施の形態では枚数10，13）に応じて決定される。
式（２）に従って求められる複数個の枚数Ｙ，Ｙ，…の組み合わせであれば、上下方向に隣り合う貫通孔４，４同士が干渉し合う虞はない。
ここで、貫通孔４，４の干渉とは、上下方向に隣り合う貫通孔４，４が接近しすぎていること、又は、上下方向に隣り合う貫通孔４，４が部分的に重なり合っていることである。隣り合う貫通孔４，４が接近しすぎている場合、貫通孔４，４間に位置する底壁３５１の強度が無用に低下する虞がある。上下方向に隣り合う貫通孔４，４が部分的に重なり合っている場合、一方の貫通孔４に係合させたリベット３７又は固定部材３８が、自重又は衝撃等によって、他方の貫通孔４に移動してしまう虞がある。
【００５３】
本実施の形態では、基板用位置決め部として機能する貫通孔４，４，…以外の貫通孔４，４，…が全て固定部材３８，３８，…に係る他部材用位置決め部として機能する場合を例示したが、これに限定されるものではない。基板用位置決め部として機能する貫通孔４，４，…以外の貫通孔４，４，…の一部又は全部は、固定部材３８を除く他部材（例えば貫通孔４を閉塞する閉塞部材）に係る他部材用位置決め部として機能する構成でもよい。ただし、基板用位置決め部として機能する貫通孔４，４，…以外の貫通孔４，４，…には何らかの部材が係合することによって夫々閉塞されることが望ましい。何故ならば、開放されたままの貫通孔４を通して外部から収容体３５の内部に異物が侵入する虞があるからである。
【００５４】
なお、基板用位置決め部及び他部材用位置決め部は、底壁３５１に罫書、刻印、又は印刷等されたマークであってもよい。しかしながら、マークを用いてなる基板用位置決め部及び他部材用位置決め部は、光源基板３３又は固定部材３８，３８，…の位置決めに用いることはできるが、光源基板３３又は固定部材３８，３８，…の底壁３５１に対する取り付けに直接的に用いることはできない。故に、基板用位置決め部及び他部材用位置決め部は、光源基板３３又は固定部材３８，３８，…に係合可能な構成（具体的には底壁３５１の内面に対して凹状又は凸状をなす構成）である方が望ましい。
【００５５】
また、底壁３５１の内面に対して凹状をなす基板用位置決め部（及び他部材用位置決め部）は、貫通孔４に限定されず、例えば底壁３５１に形成されたハーフパンチ状の凹部でもよい。
光源基板３３には、貫通孔３３１に替えて突起が設けらていてもよい。この場合、係合基板３３の突起が貫通孔４又はハーフパンチ状の凹部に係合することによって光源基板３３が位置決めされる。
他部材用位置決め部によって位置決めされる他部材は、固定部材３８のように、個数又は配置位置の変更が照明装置２２の品質又は構造等に影響し難いものであることが望ましい。
【００５６】
以上のような照明装置２２の場合、光源３４が発した光の一部は、直接的に拡散板３１へ入射して拡散板３１を透過する。また、光源３４が発した光の他の一部は、拡散板３１と反射シート３６、リベット３７，３７，…又は固定部材３８，３８，…との間で反射を繰り返してから拡散板３１へ入射して拡散板３１を透過する。拡散板３１を透過した光は光学シート群３１を透過する。この結果、照明装置２２は表示パネル２１を背面側から均一に照明する。
【００５７】
このような照明装置２２において、光源基板３３が等間隔に並置されていることは、表示パネル２１の均一な照明の実現に寄与する。仮に、光源基板３３を不等間隔に並置するならば、収容体３５の共通化を図りつつ光源基板３３の枚数が異なる照明装置２２を更に容易に構成することができるが、表示パネル２１を均一に照明することが困難という問題が生じる。
なお、１列の光源基板３３，３３，…の並置方向は上下方向に限定されず、左右方向でもよい。
また、テレビジョン受信機１は、表示パネル２１の正面が前向き（表示パネル２１が縦姿勢）の構成に限定されず、下向き（表示パネル２１が横姿勢）でもよい。
【００５８】
（実施の形態  ２．）
図７は、本発明の実施の形態２に係る表示装置１３を備えるテレビジョン受信機１の構成を略示する断面図である。図８は、光源基板３３及び反射シート３６の位置決め状態を略示する断面図である。図７及び図８は実施の形態１の図１及び図４に対応する。
図９〜図１４は、光源基板３３の配置を模式的に示す正面図である。図９〜図１４は、図に向かって上下左右方向が照明装置２２の上下左右方向である。図９〜図１４には光源基板３３の図示は省略してあるが、実線で示す貫通孔４，４，…の上下方向の配置位置が光源基板３３の上下方向の配置位置に対応している。
本実施の形態のテレビジョン受信機１、表示装置１３、及び照明装置２２は、実施の形態１と略同様の構成である。以下では、実施の形態１との差異について説明し、その他、実施の形態１に対応する部分には同一符号を付してそれらの説明を省略する。
【００５９】
実施の形態１では、１列に含まれる光源基板３３の枚数が10枚の場合と13枚の場合とで収容体３５，３５が共通化されている照明装置２２を例示しているが、本実施の形態では、１列に含まれる光源基板３３の枚数が19枚の場合（図９参照）と13枚の場合（図１０参照）と10枚の場合（図１１参照）と７枚の場合（図１２参照）と４枚の場合（図１３参照）と３枚の場合（図１４参照）とで収容体３５，３５，…が共通化されている照明装置２２を例示する。
光源基板３３の向き及び配置間隔等は、実施の形態１と同様である。
貫通孔４，４，…は、上下方向に25個、非等間隔に並設されている。
【００６０】
また、本実施の形態では、他部材用位置決め部によって位置決めされるとして支持部材３９を例示する。
支持部材３９は、実施の形態１の固定部材３８と同様の構成を有する。即ち、支持部材３９は、頭部３９ａ及び脚部３９ｂを有し、これらは頭部３８ａ及び脚部３８ｂと同様の構成である。更に、支持部材３９は支持突起３９ｃを有する。
支持突起３９ｃは、支持リベット３７２が有する支持突起３７ｃと同様の構成であり、頭部３９ａに突設してある。
【００６１】
実施の形態１では、他部材用位置決め部として用いられる貫通孔４，４，…には固定部材３８，３８，…が係合しているが、本実施の形態では、支持部材３９，３９，…が係合している。支持部材３９は、固定部材３８，３８，…と同様に、個数又は配置位置の変更が照明装置２２の品質又は構造等に影響し難い。
支持部材３９，３９，…のみで拡散板３１を確実に支持することができるのであれば、リベット３７，３７，…は全て係合リベット３７１，３７１，…でもよい。支持部材３９，３９，…のみでは拡散板３１の指示が不十分である場合には、リベット３７，３７，…の一部又は全部が支持リベット３７２，３７２，…でもよい。
なお、他部材用位置決め部に係合する他部材は支持部材３９のみでもよく、固定部材３８と支持部材３９とが混在していてもよい。
【００６２】
光源基板３３の枚数が19枚の場合、上下方向に隣り合う光源基板３３，３３の離隔距離は距離Ｌ３で一定である（図９参照）。そして、上下方向25個の貫通孔４，４，…の内、実線で示す19個の貫通孔４，４，…が基板用位置決め部として機能し、破線で示す６個の貫通孔４，４，…が他部材用位置決め部として機能する。
一方、光源基板３３の枚数が13枚の場合、上下方向に隣り合う光源基板３３，３３の離隔距離は距離Ｌ４（Ｌ４＞Ｌ３且つＬ４×２＝Ｌ３×３）で一定である（図１０参照）。そして、実線で示す13個の貫通孔４，４，…が基板用位置決め部として機能し、破線で示す12個の貫通孔４，４，…が他部材用位置決め部として機能する。
【００６３】
光源基板３３の枚数が10枚の場合、上下方向に隣り合う光源基板３３，３３の離隔距離は距離Ｌ５（Ｌ５＝Ｌ３×２＞Ｌ４）で一定である（図１１参照）。そして、実線で示す10個の貫通孔４，４，…が基板用位置決め部として機能し、破線で示す15個の貫通孔４，４，…が他部材用位置決め部として機能する。
光源基板３３の枚数が７枚の場合、上下方向に隣り合う光源基板３３，３３の離隔距離は距離Ｌ６（Ｌ６＝Ｌ３×３）で一定である（図１２参照）。そして、実線で示す７個の貫通孔４，４，…が基板用位置決め部として機能し、破線で示す18個の貫通孔４，４，…が他部材用位置決め部として機能する。
【００６４】
光源基板３３の枚数が４枚の場合、上下方向に隣り合う光源基板３３，３３の離隔距離は距離Ｌ７（Ｌ７＝Ｌ３×６）で一定である（図１３参照）。そして、実線で示す４個の貫通孔４，４，…が基板用位置決め部として機能し、破線で示す21個の貫通孔４，４，…が他部材用位置決め部として機能する。
光源基板３３の枚数が３枚の場合、上下方向に隣り合う光源基板３３，３３の離隔距離は距離Ｌ８（Ｌ８＝Ｌ３×９）で一定である（図１４参照）。そして、実線で示す３個の貫通孔４，４，…が基板用位置決め部として機能し、破線で示す22個の貫通孔４，４，…が他部材用位置決め部として機能する。
【００６５】
本実施の形態の貫通孔４，４，…は上下方向に不等間隔で並設されているが、これに限定されず、等間隔で並設されていてもよい。例えば、図９に破線で示す貫通孔４，４，…が存在しない場合、19個の貫通孔４，４，…は上下方向に等間隔である。この場合、収容体３５は、１列に３枚、７枚、10枚、及び13枚の光源基板３３を備える照明装置２２，２２，…間で共通化することができる。
【００６６】
（実施の形態  ３．）
図１５は、本発明の実施の形態３に係る表示装置１３が備える収容体３５に対する光源基板３３の位置決め状態を略示する断面図である。
本実施の形態のテレビジョン受信機１、表示装置１３、及び照明装置２２は、実施の形態１と略同様の構成である。以下では、実施の形態１との差異について説明し、その他、実施の形態１に対応する部分には同一符号を付してそれらの説明を省略する。
【００６７】
本実施の形態の収容体３５においては、貫通孔４に替えてハーフパンチ状の凸部５１が底壁３５１に設けてある。凸部５１は、底壁３５１の内面に対して凸状をなす基板用位置決め部（又は他部材用位置決め部）である。
基板用位置決め部として用いられる凸部５１が光源基板３３の貫通孔３３１に係合することによって、光源基板３３が位置決めされる。
【００６８】
（実施の形態  ４．）
図１６は、本発明の実施の形態４に係る表示装置１３が備える収容体３５に対する光源基板３３の位置決め状態を略示する断面図である。
本実施の形態のテレビジョン受信機１、表示装置１３、及び照明装置２２は、実施の形態１と略同様の構成である。以下では、実施の形態１との差異について説明し、その他、実施の形態１に対応する部分には同一符号を付してそれらの説明を省略する。
【００６９】
本実施の形態の光源基板３３には、貫通孔３３１は設けられていない。
本実施の形態の収容体３５においては、貫通孔４に替えて切り起こし状の凸部５２が底壁３５１に設けてある。凸部５２は、底壁３５１の内面に対して凸状をなす基板用位置決め部（又は他部材用位置決め部）である。凸部５２が設けられることによって、底壁３５１には不必要な貫通孔５３が形成される。
基板用位置決め部として用いられる凸部５２が光源基板３３の周縁部に係合することによって、光源基板３３が位置決めされる。このとき、貫通孔５３は光源基板３３によって閉塞される。
【００７０】
（実施の形態  ５．）
図１７は、本発明の実施の形態５に係る表示装置１３が備える収容体３５に対する光源基板３３の位置決め状態を略示する断面図である。
本実施の形態のテレビジョン受信機１、表示装置１３、及び照明装置２２は、実施の形態１と略同様の構成である。以下では、実施の形態１との差異について説明し、その他、実施の形態１に対応する部分には同一符号を付してそれらの説明を省略する。
【００７１】
光源３４は発光部３４１及びレンズ３４２を有する。レンズ３４２の前部は半球状をなし、半球の頂部は凹状をなす。レンズ３４２から出射する光は、実施の形態１の光源３４が有するレンズのような、半球の頂部が凹状をなしていないものに比べて、より拡散し易い。
【００７２】
収容体３５は皿状をなし、実施の形態１の周壁３５２及び支持部３５３に替えて、周壁３５４及びフランジ３５５を有する。
周壁３５４は、底壁３５１から収容体３５の開口側へ拡がるような傾斜状をなす。
フランジ３５５は、周壁３５２の先端部（前端部）に配されており、拡散板３１の周縁部を支持している。フランジ３５５と拡散板３１の周縁部との間には、反射シート３６の周縁部が挟持されている。
【００７３】
本実施の形態の照明装置２２は、リベット３７，３７，…に替えて、リベット６，６，…を備える。
リベット６，６，…の一部は実施の形態１の係合リベット３７１，３７１，…に対応するものであり、リベット６，６，…の残部は実施の形態１の支持リベット３７２，３７２，…に対応するものである。
各リベット６は、リベット本体６１及び留め具６２を有する。
【００７４】
係合リベット３７１に対応するリベット６のリベット本体６１は、頭部６ａ及び脚部６ｂを有する。
支持リベット３７２に対応するリベット６のリベット本体６１は、頭部６ａ、脚部６ｂ、及び支持突起６ｃを有する。
頭部６ａ及び支持突起６ｃは、実施の形態１の頭部３７ａ及び支持突起３７ｃと同様の構成である。
脚部６ｂは、頭部６ａの後面に突設された円柱状をなす。
【００７５】
留め具６２は、フランジを有する円筒状をなす。留め具６２の円筒部分は軸長方向が前後方向である。留め具６２のフランジ部分は円筒部分の前端部に突設されている。留め具６２は、フランジ部分が反射シート３６に接触するまで、円筒部分が前側から貫通孔３６１，３３１，４をこの順に貫通する。このとき、留め具６２は貫通孔３６１，３３１，４に嵌合固定される。
リベット本体６１は、留め具６２に嵌合固定される。このために、頭部６ａが留め具６２のフランジ部分に接触するまで、脚部６ｂが前側から留め具６２の内部を貫通する。
以上の結果、留め具６２のフランジ部分と底壁３５１の内面との間に反射シート３６及び光源基板３３が挟持される。
【００７６】
即ち、光源基板３３はリベット６を介して貫通孔４に係合している。貫通孔４に対する係合によって光源基板３３は位置決めされるので、光源基板３３が係合している貫通孔４は、基板用位置決め部として機能する。
なお、固定部材３８は、リベット６と同様にリベット本体と留め具とを有する構成でもよい。
【００７７】
最後に、本発明の実施の形態についてまとめる。
【００７８】
本発明に係る照明装置２２は、皿状の収容体３５と、夫々の一面に光源３４が実装されており、前記収容体３５の底壁３５１の内面に少なくとも１列、等間隔に並置された複数枚の光源基板３３と、前記収容体３５に収容される前記光源基板３３以外の他部材とを備える照明装置２２において、前記底壁３５１には、前記光源基板３３の位置決め用の複数個の基板用位置決め部と、前記他部材の位置決め用の複数個の他部材用位置決め部とが設けられており、前記基板用位置決め部及び他部材用位置決め部夫々の形状と寸法とが共通化してあることを特徴とする。
【００７９】
本発明に係る照明装置２２は、前記基板用位置決め部及び他部材用位置決め部夫々は、前記内面に対して凹状又は凸状をなし、各光源基板３３は前記基板用位置決め部の何れかに係合し、前記他部材は、前記他部材用位置決め部の何れかに係合していることを特徴とする。
【００８０】
本発明に係る照明装置２２は、前記光源３４に対向配置され、前記光源３４が発する光を拡散させる拡散板３１を更に備え、前記他部材は、前記拡散板３１を支持する支持部材３９であることを特徴とする。
【００８１】
本発明に係る照明装置２２は、前記一面及び前記収容体３５の内面を覆い、光を反射する反射シート３６を更に備え、前記他部材は、前記反射シート３６を前記底壁３５１に固定する固定部材３８であることを特徴とする。
【００８２】
本発明に係る照明装置２２は、１列に含まれる前記光源基板３３の枚数Ｙは、定数Ａ，X1，X2を含む式（１）に従い、定数Ａは“７”，“９”，“13”，“16”，“17”，“19”の何れかひとつであり、定数X1は“１”，“２”，“３”の何れかひとつであり、定数X2は“-2”，“-1”，“０”，“１”，“２”，“３”の何れかひとつであって、定数Ａ，X1，X2の組み合わせは、式（１）の演算結果がＹ≧３の自然数になるものであることを特徴とする。
【００８３】
本発明に係る照明装置２２は、前記光源基板３３の枚数は、３枚、４枚、５枚、６枚、７枚、９枚、10枚、11枚、13枚、16枚、17枚、19枚、21枚、25枚、31枚、33枚、37枚、41枚、又は49枚であることを特徴とする。
【００８４】
本発明に係る表示装置１３は、本発明に係る照明装置２２と、該照明装置２２によって背面側から照明される表示パネル２１とを備えることを特徴とする。
【００８５】
本発明に係るテレビジョン受信機１は、本発明に係る表示装置１３と、テレビジョン放送を受信する受信部１１とを備え、該受信部１１にて受信したテレビジョン放送に基づいて、前記表示装置１３に映像を表示するようにしてあることを特徴とする。
【００８６】
本発明にあっては、基板用位置決め部及び他部材用位置決め部の形状と寸法とが共通化されている。
故に、例えば光源基板の枚数又は配置位置を変更する場合、製造者は他部材の個数若しくは配置位置を変更する。そして、製造者は、他部材用位置決め部の一部を基板用位置決め部として流用するか、又は、基板用位置決め部の一部を他部材用位置決め部として流用することによって、光源基板を等間隔に配置しつつ、他部材を適宜に配置する。
【００８７】
本発明にあっては、光源基板は基板用位置決め部の何れかに係合するので、光源基板の位置決めと収容体の壁面に対する取り付けとが容易である。
同様に、他部材は他部材用位置決め部の何れかに係合するので、他部材の位置決めと収容体の壁面に対する取り付けとが容易である。
【００８８】
本発明にあっては、例えば光源基板の枚数又は配置位置の変更に伴って支持部材（或いは固定部材）の個数若しくは配置位置を変更することは、支持部材（或いは固定部材）を除く他部材の個数又は配置位置を変更することより容易である。故に、支持部材（或いは固定部材）の個数又は配置位置の変更が照明装置の品質に悪影響を及ぼすことを抑制することができる。
【００８９】
本発明にあっては、光源基板の枚数を式（１）に基づいて求めることができる。
【００９０】
本発明にあっては、光源基板の枚数が、３枚以上49枚以下の実用的な枚数である。
【００９１】
今回開示された実施の形態は、全ての点で例示であって、制限的なものではないと考えられるべきである。本発明の範囲は、上述した意味ではなく、特許請求の範囲と均等の意味及び特許請求の範囲内での全ての変更が含まれることが意図される。
また、本発明の効果がある限りにおいて、テレビジョン受信機１、表示装置１３、又は照明装置２２に、実施の形態１〜５に開示されていない構成要素が含まれていてもよい。
各実施の形態に開示されている構成要件（技術的特徴）はお互いに組み合わせ可能であり、組み合わせによって新しい技術的特徴を形成することができる。
【符号の説明】
【００９２】
１    テレビジョン受信機
１３  表示装置
２１  表示パネル
２２  照明装置
３１  拡散板
３３  光源基板
３５  収容体
３６  反射シート
３８  固定部材（他部材）
３９  支持部材（他部材）
４    貫通孔（基板用位置決め部，他部材用位置決め部）
５１，５２  凸部（基板用位置決め部，他部材用位置決め部）
【図１】
0006570372.tif 000005
【図２】
0006570372.tif 000006
【図３】
0006570372.tif 000007
【図４】
0006570372.tif 000008
【図５】
0006570372.tif 000009
【図６】
0006570372.tif 000010
【図７】
0006570372.tif 000011
【図８】
0006570372.tif 000012
【図９】
0006570372.tif 000013
【図１０】
0006570372.tif 000014
【図１１】
0006570372.tif 000015
【図１２】
0006570372.tif 000016
【図１３】
0006570372.tif 000017
【図１４】
0006570372.tif 000018
【図１５】
0006570372.tif 000019
【図１６】
0006570372.tif 000020
【図１７】
0006570372.tif 000021